(57)【要約】      （修正有）【課題】分散型ネットワークシステムにおいて、ユーザの移動に伴い複数のＰＣ端末を利用してデータ作成作業を行い、後日他のＰＣ端末によりデータ作成作業を開始する際に、過去に作成したデータを迅速、容易に取得することを可能とするため、複数のＰＣ端末での作業履歴を管理し必要なデータを検索する作業履歴検索方法及びシステムを提供する。【解決手段】使用者の端末利用履歴を保存可能なユーザＩＤ付きのＩＤカードを携帯し、各ＰＣ端末群では端末の使用履歴を記録しておき、ＩＤ、端末名、作業内容を特定するキー項目により使用者の過去の利用端末を特定し、その端末上の作業履歴から該当作業履歴を抽出する。使用中のＰＣ端末自身だけでなく、ネットワーク上の他のＰＣ端末での作業履歴の抽出結果を参照可能とする。【選択図】図１
2007122308.tif 000002
【特許請求の範囲】
【請求項１】
複数のPC端末であって、個々に特定される端末IDを有するPC端末から構成された分散ネットワークにおける作業履歴検索システムにおいて、
上記PC端末は、
利用者の有するIDカードが記憶する情報を読み取り、上記IDカードへ情報を書き込むためのリーダライタ装置と、
上記ＰＣ端末で行われた作業に対して該作業内容を特定するキー（更新時刻等）と作業中の端末名とを一レコードの要素として追加更新された端末利用履歴、及び、上記作業内容を特定するキー（更新時刻等）と端末ＩＤと端末名とを一レコードの要素として追加更新された作業履歴とを記憶する記憶手段と、
上記IDカードから読み取った情報に基づいて、分散ネットワークシステムを構成する他のPC端末における作業履歴の取得指示をする通信手段と、
上記取得指示に応答として上記他のPC端末から受信した作業履歴を用いて上記ＰＣ端末が保持する作業履歴を追加更新して保存する作業履歴保存手段とを有し、
上記ＩＤカードから読み取った情報は、上記ＩＤカード固有のＩＤであり、上記作業履歴の取得指示は、上記ＩＤを共通項として通信先のＰＣ端末における作業履歴を抽出する命令であることを特徴とする分散ネットワーク作業履歴検索システム。
【請求項２】
複数のＰＣ端末であって、個々に特定される端末ＩＤを有するＰＣ端末から構成された分散ネットワークシステムにおいて、
上記PC端末は、
利用者の有するIDカードが記憶する情報を読み取り、上記IDカードへ情報を書き込むためのリーダライタ装置と、
上記ＰＣ端末で行われた作業に対して該作業内容を特定するキー（更新時刻等）と作業中の端末名とを一レコードの要素として追加更新された端末利用履歴、及び、上記作業内容を特定するキー（更新時刻等）と端末ＩＤと端末名とを一レコードの要素として追加更新された作業履歴とを記憶する記憶手段と、
分散ネットワークを構成する他のＰＣ端末から、上記他のＰＣ端末が上記ＩＤカードから読み取った情報に基づいて上記作業履歴の検索を行う作業履歴取得指示を受信する通信手段であって、上記ＩＤカードから読み取った情報と作業内容を特定するキーとを共通項として上記  作業履歴を抽出して該抽出結果を上記他のＰＣ端末へ送信する通信手段と、  
上記抽出した作業履歴を用いて上記作業履歴を追加更新して保存する作業履歴保存手段とを有し、
上記ＩＤカードから読み取った情報は、上記ＩＤカード固有のＩＤであることを特徴とする分散ネットワーク作業履歴検索システム。
【請求項３】
ネットワークに接続され、おのおのが端末ＩＤを有する複数のＰＣ端末群での作業記録を記録したＩＤカードを用いた分散ネットワークにおける作業内容の参照・検索方法であって、以下の手順を実行することを特徴とする、
（１）ＰＣ端末の作業時に、上記ＰＣ端末を構成するリーダライタ装置により上記ＩＤカードのＲ／Ｗ記憶領域から上記ＩＤカードのＩＤを読み取る手順、
（２）該作業の終了後にその作業内容を特定するキー(例えば更新時刻)と上記ＰＣ端末の端末名を一レコードの要素として、追加更新する端末利用履歴更新手順、
（３）上記作業内容を特定するキー(例えば更新時刻)と、ＩＤと、端末名、を一レコードの要素として、作業をしたＰＣ端末内に追加更新する作業履歴保存手順
（４）上記作業中のＰＣ端末の端末名を共通項として特定の端末での使用者の利用履歴を抽出する端末利用履歴情報抽出手順、
（５）上記端末利用履歴情報抽出手順の実行結果から作業内容を特定するキーと上記ＩＤカードから読取るＩＤを共通項として作業履歴を抽出する命令を該当のＰＣ端末へ通信経路を介して通信要求し、他のＰＣ端末から通信経路を介して同様の命令を受けた場合には作業内容を特定するキーとＩＤを共通項として自ＰＣ端末内の作業履歴から該当作業履歴を抽出し、要求元のＰＣ端末へ抽出結果を送信するとともに、他のＰＣ端末から抽出結果を受信した場合には作業履歴を追加更新する作業履歴通信更新手順。
【発明の詳細な説明】
【技術分野】
【０００１】
本発明は、分散型ネットワークシステムを利用するにあたって分散型ネットワークシステム上の各端末からユーザデータを再利用する方法に関する。特に、携帯型の電子履歴簿(ＩＤカード)を用いて作業内容を参照・検索してユーザデータの再利用を容易とさせる方法に関する。
【背景技術】
【０００２】
事務所などで用いられるクライアントＰＣでは、ＬＡＮ接続されファイル共有等を利用し事務処理や業務を行う環境があたりまえとなっている。
また、小規模の企業であっても、ＷＡＮやＶＰＮを介し、拠点間を結んだネットワークを構築し、ユーザあるいはユーザＧｒが1拠点に囚われず、複数の端末を渡り歩いて利用する状況も珍しくない。
一方、そのような利用状況を背景として、事務処理、業務を通じて作成・複製・改変されるユーザデータも各クライアントＰＣや、サーバに分散することとなりがちである。
ユーザデータが分散して作成/保存されるようになると、「いつ」「どこに」「なんという名前で」保存したかを忘れた場合、ユーザデータが行方不明となる場合も増大してくる。
【０００３】
ここで、探索対象となるユーザデータが特定される場合に、ユーザが欲しいユーザデータを探す際には既存のＯＳや既存のアプリケーションが提供している既知の検索機能も有効な手段である。しかし、個人で管理（過去に作成した、使った、更新した、etc）のデータを対象とする場合の探索結果の有効性は、的確な探索のために必要な情報（保存場所）（ファイル名）（データ内容）をユーザ自身が記憶しているかあるいは、想定できるかにかかっている。現在の一般的なやり方では、ファイル共有サーバを用意するなどし「必ずそこに保存する」などの運用上の取決めを行うことで、ユーザデータの行方不明を防いでいる。
【０００４】
また、最近注目を集めてきている、ピアツーピア型ネットワーク（以下Ｐ２Ｐ型）において、ファイル名のみならず、全文検索的な形態での検索を可能とするプロトコルの発明を行う取組みもある。
特開２００４−１５７８２６においては、ピアツーピア型ネットワーク（以下Ｐ２Ｐ型）のファイル共有ソフトにおいて検索文字列を含むファイル名を持つファイルを探すだけで、全文検索的な形態での情報検索はできないという問題点を解決する為、課題を解決する手段に、共有する実ファイルデータと共に実ファイルデータを定められた項目毎に記述するメタデータとの組合わせであるデータセットをＰ２Ｐ型のファイル共有ソフトが利用するプロトコルで通信可能とする手段が示されている。
特開２００４−１５７８２６に示された手段では、個人で管理（過去に作成した、使った、更新した、etc…）したユーザデータを他者との共有を前提にした場合にのみ有効となる。
上記とは別のアプローチでノートＰＣを用いるなどして、ユーザデータと事務処理や業務を行う環境ごと、ユーザが携帯する方法もある。
【０００５】
【特許文献１】特開２００４−１５７８２６号公報
【発明の開示】
【発明が解決しようとする課題】
【０００６】
上記した背景技術では、以下の問題点がある。
出張等に代表される業務都合で、違う環境を用いてデータ作成等行った際に、ユーザ側でデータの保存先やデータのファイル名をうっかり忘れてしまった場合に、後からそのデータを見つけることが出来ない、もしくは非常に困難となる。
ユーザが普段使用するＰＣが1台に限定されている場合は、ユーザ側でデータの具体的な保存先やデータのファイル名をうっかり忘れてしまった場合であっても、ファイルの保存先が普段使用するＰＣの記憶領域に限定される。保存された場所が前述のように限定できるので、ユーザは場合によっては自分の過去の行動をメモした手帳などから「作成されたと思われる日付や時間帯」を推定し、これを検索対象項目とし、普段使用するＰＣの記憶領域を検索対象にして、ＯＳなどが提供する検索プログラムなどを用いて全面検索を行えばよい。ユーザは検索結果のファイル一覧をみて、うっかり忘れてしまったファイル名を思い出す等して、もしくはそれでも思い出せない場合はファイル一覧を対象にファイルの内容を順に確認することでなんとか発見することが出来る。
【０００７】
さらに、普段使用するＰＣが1台に限定されないユーザの場合には状況は更に困難となる。普段使用するＰＣが1台に限定されないユーザの場合は具体的な保存先が、「作成されたと思われる日付や時間帯」に使用したＰＣ全てとなる。この為、検索対象のＰＣが手元にあるＰＣとは別の個体の場合は、ネットワークを介するなどして目の前にあるＰＣから検索する必要がある。目的とするファイルがネットワーク上の共有フォルダに保存されているなど、ネットワークを介して検索可能な状態であれば、前述の普段使用するＰＣが1台に限定されている場合と同様な方法で検索結果のファイル一覧を得ることが出来る。しかしながら、ネットワークを介して検索を行う為に処理時間が長くなるばかりか、ネットワーク上の共有フォルダに保存していない場合などは見つけることが出来ない。このような状況では、ユーザが個別に外付けのＨＤＤ等を用意してデータをコピーして持ち歩くなどして、その結果、企業にとって重要なデータ紛失や、個人情報の漏洩の危険性が高くなっている。
【０００８】
一方、ファイル共有サーバを用意するなどし「必ずそこに保存する」などの運用上の取決めを行う方法ではファイル共有サーバを用意しなければならないし、高価な各クライアントＰＣの資産（ＨＤＤ容量）も有効利用できていない。
またノートＰＣを用いるなどして、ユーザデータと事務処理や業務を行う環境ごと、ユーザが携帯する方法ではユーザが移動中に業務を行う必要がない場合でも重たいノートＰＣを携帯する必要があり、またノートＰＣの紛失によりユーザデータが再利用できなくなる危険性もある。
【０００９】
本発明の目的は、上記課題を解決する改善された分散型ネットワークシステムでのユーザデータ、作成更新履歴の参照・検索の方法の手段を提供し、ユーザが使用するパソコン群での作業履歴を元にユーザが使用したデータがユーザが使用するパソコン群のどのパソコンにあっても、ユーザが使用するパソコン郡のどのパソコンからでも同等に探し出すことが出来るようにすることであり、またそれにより、データの持ち歩きの必要性を無くし複数拠点でのデータ処理が安全に行えるシステムを提供することである。
【課題を解決するための手段】
【００１０】
上記の課題を解決するには、以下の構成要素が、以下の動作をする、分散型ネットワーク内の任意拠点でのユーザデータ利用システムを用いればよい。
誰が、いつ、どのＰＣ端末で作業したかという記録を携帯型の履歴簿（以後ＩＤカードと呼ぶ）に蓄えておく。使用者が上記ＩＤカードを携帯し、例えば下記の（１）〜（３）のような分散ネットワークシステム上の各ＰＣ端末郡を使用することで作業内容の参照・検索等、ユーザデータの再利用を迅速、容易にすることが出来る。このような分散ネットワークシステムを構成するＰＣ端末は、
（１）それぞれ互いにデータを通信可能な通信経路で接続されたＰＣ端末群であって、ＰＣ端末を特定するための端末ＩＤとして利用可能な端末名をもつことを特徴としており、さらに、このＰＣ端末は次の手順を実行することを特徴としている、
（２）ＰＣ端末には上記のＩＤカードのＩＤの読取りとＲ／Ｗ記憶域の読書きを行うリーダライタ装置と、そのリーダライタ装置を介してＲ／Ｗ記憶域内に端末利用履歴を読書きし、使用者がＰＣ端末上で作業を行う際には、後にその作業内容を特定するキー(例えば更新時刻)と作業中の端末名を一レコードの要素として、追加更新する端末利用履歴更新手順と、また、同時に作業内容を特定するキー(例えば更新時刻)と、ＩＤと、端末名、を一レコードの要素として、ＰＣ端末内に追加更新する作業履歴保存手順、
（３）上記の端末名を共通項として特定の端末での使用者の利用履歴を抽出するための端末利用履歴情報抽出手順と、
上記の端末利用履歴の抽出結果から、作業内容を特定するキーと上記ＩＤカードから読取るＩＤを共通項として作業履歴を抽出する命令を該当のＰＣ端末へ通信経路を介して通信要求し、他のＰＣ端末から通信経路を介して同様の命令を受けた場合には作業内容を特定するキーとＩＤを共通項として自ＰＣ端末内の作業履歴から該当作業履歴を抽出し、要求元のＰＣ端末へ抽出結果を送信するとともに、他のＰＣ端末から抽出結果を受信した場合には作業履歴を追加更新する作業履歴通信更新手順。
【発明の効果】
【００１１】
本方法を用いれば、分散型ネットワークシステム上のＰＣ端末を作業環境とし、ユーザデータ（即ち文書や表やテキストデータ, …etc）を作成/更新する際、特定のファイル共有サーバを用意することなく、使用者が使用者の欲するユーザデータの詳細を思い出せなくても、現在使用している端末から、希望するユーザデータの所在を容易に検索し、ユーザデータの再利用を迅速、容易にすることができる。
【発明を実施するための最良の形態】
【００１２】
＜概要＞
本発明の実施形態の一例について、図１、図２を用いて説明する。
まず、図１において使用者10が普段頻繁に利用する拠点Ａがあり、使用者10が他に利用可能な拠点Ｂ, 拠点Ｃ, 拠点Ｄ・・・があるとする。
また拠点Ａ, 拠点Ｂ, 拠点Ｃ, 拠点Ｄ・・・にはそれぞれ、同等の機能を具備するＰＣ端末1011a, ＰＣ端末1011b, ＰＣ端末1011c, ＰＣ端末1011d・・・がある。
ここで、使用者10が拠点Ｂへ出張し作業を行う場合を想定する。
このとき、図２に示すように、使用者10はＩＤメモリ1111とR/W記憶領域1112からなるＩＤカード1110（以下、ＩＤカード1110と呼ぶ）を持つ。
【００１３】
使用者10の持つＩＤカード1110から、ＰＣ端末1011b上で動作するアプリケーション1012bがＩＤカード1110のＩＤ1113および、Ｒ／Ｗ記憶域1112内に保持されている端末利用履歴1114をＰＣ端末の外部接続用のインターフェイスにて接続されたリーダライタ装置1014bを経由して読み取る。
また、アプリケーション1012bは自己が動作するＰＣ端末1011b内の記憶領域に、読取り結果のＩＤ毎にＰＣ端末の動作内容、すなわち使用者の操作内容をあらかじめ設定された操作単位（以降、この操作単位を称してイベントと呼ぶ）に書出し、作業履歴として記録することができる。
ここで、アプリケーション1012bは、カード読込識別手順3021b、端末利用履歴更新手順3022b、作業履歴通信手順3023b,作業履歴保存手順3024bを有しており、他のＰＣ端末上のアプリケーション1012a, アプリケーション1012c, アプリケーション1012dについても同様の手順を有する。
【００１４】
ＰＣ端末1011b上で動作するアプリケーション1012bが使用者10の端末利用履歴を読取ったとき、アプリケーション1012bは読取った端末利用情報に自己が動作するＰＣ端末1011b以外のＰＣ端末を表すhost名（端末名：例えば端末1011a）、を読取るとその端末1011a上で動作するアプリケーション1012aに対し、作業履歴の通信要求を行い、ＰＣ端末1011b上で動作するアプリケーション1012bとＰＣ端末1011b上で動作するアプリケーション1012bの間で使用者10に関する作業履歴の追加更新を行う。
この結果、使用者10はＰＣ端末1011bにて、普段使用しているＰＣ端末1011aと同等の作業履歴をアプリケーション1012bおよびアプリケーション1012aを介して、容易に参照可能となる。
【００１５】
また、使用者10が拠点ＣにてＰＣ端末1011cを利用する場合や拠点ＤにてＰＣ端末1011dを利用する場合も同様であり、使用者が保持するＩＤカードに記憶されているＩＤと端末利用履歴より読み取り可能なhost名を基に過去に利用した端末間で自動的に作業履歴の同期が取られ、普段使用するパソコンと同等の作業履歴を使用者が容易に参照可能となる。
以上が本発明を実施する上での基本的形態となるが、作業履歴を他のアプリケーションおよびオペレーティングシステムが持つインデックス機能で利用可能な形態とすることで、端末の個体の意識なく標準的操作にてユーザデータの利用が可能となる。
【実施例１】
【００１６】
＜発明の構成＞
本発明の基本構成要素を図３を用いて説明する。
図３は本発明の利用形態の動作の理解を得やすくするために最小単位の構成を抜きだし、作業者10がＰＣ端末1013aを利用開始時に過去の作業履歴を参照するまでのそれぞれの構成要素の関係の一例をフロー図に示したものである。
使用者10と使用者10が普段頻繁に利用する拠点Ａと拠点Ａに設置されたＰＣ端末1011aがある。
【００１７】
また使用者10が出張時等に利用する拠点Ｄと拠点Ｄに設置されたＰＣ端末1011dがある。ＰＣ端末1011aは入出力装置１4010aをもつ、これは例えばリーダライタ装置である。また、使用者10が入力手段および、出力手段として用いる入出力装置２4020aをもつ、これは現在一般的に良く知られた例として、キーボードとディスプレイであったり、例えば、タッチパネルとディスプレイやマイクとスピーカーなどであってもよい。
【００１８】
拠点Ａと拠点Ｄの間は通信回線2010により接続されＰＣ端末1011aとＰＣ端末1011dにそれぞれ具備される通信装置4050aと通信装置4050dとによってお互いの通信を可能とする。ここで例えば、通信回線2010はＬＡＮやＷＡＮ、インターネットを介したＶＰＮなどであってもよい。
使用者10はＩＤカード1110を携帯し、ＩＤカード1110はＩＤ1113とＲ／Ｗ記憶領域1112をもって構成される。
【００１９】
ＰＣ端末1011aは内蔵するＯＳ4060a上で動作するアプリケーション1012aに 端末利用履歴更新手順3022a,作業履歴通信手順3023a,作業履歴保存手順3024aを搭載する。また、ＰＣ端末1011aはＯＳ4060aアおよび、プリケーション1012aの一時データやユーザデータが保存される記憶装置4030aをもち、作業履歴1013aや作業内容も記憶装置4030aに記録される。記憶装置4030aは一般的に良く知られた例として、主記憶装置としてメモリと補助記憶装置としてＨＤＤなどである。当然、プログラムの命令を解釈し、演算を行い、各装置に指示すＣＰＵ等（図示せず）も具備する。
【００２０】
図４はＲ／Ｗ記憶領域1112に端末利用履歴更新手段3022により更新記録される端末利用履歴3010のテーブルのデータ構造（レコード）の一例である。
端末利用履歴3010はＰＣ端末を特定する為の端末名3011と作業履歴更新手段3024によりＰＣ端末1011a内に保存蓄積される作業履歴2010中の１つのレコードと一意に紐付けを行う為のキー（例えば、更新時刻）をもって構成される。
【００２１】
図６は使用者10が一例としてＰＣ端末1011aを利用するとした際、カード読込識別手段3021により利用される構成要素の一例である。
リーダライタ1014はＩＤカード1110のＩＤ1113を読取り、かつＲ／Ｗ記憶領域1112の読書きをも行う装置である。
リーダライタ1014はインタフェース1015を介してＰＣ端末1011aと接続されＰＣ端末1011内のアプリケーション1012aから制御可能である。
使用者10はＩＤカード1110を携帯しＰＣ端末1011aを使用する際、リーダライタ1014にＩＤ1113の読取りおよび、Ｒ／Ｗ記憶領域1112の読書きを可能な状態とすることで、本発明の効果を得ながら作業を行うことが出来る。
【００２２】
図９は本発明で用いられる作業履歴（図３における、1013a，1013d図１の例では1013a〜1013d）のレコード構造の一例である。作業履歴の一レコードはＩＤ3150,更新時刻3151,イベント3152,端末名3153,を必須とするレコード要素から成り、他にパス3154,ファイル名3155などを含んでも良い。
【００２３】
＜発明の動作＞
本発明の動作原理の仕組みを図５,図７,図８,図１１を用いて以下説明する。
本発明の基本の動作は、アプリケーション（図３における、1012a，1012d図１の例では1012a〜1012d）のカード読込識別手順3021a、端末利用履歴更新手順3022a、作業履歴通信手順3023a,作業履歴保存手順3024aの連携する動作によってなりたつ。
【００２４】
図５はカード読込識別手順3021aのフローチャートすなわち、使用者10がＰＣ端末1011aやＰＣ端末1011dを使用する際にＩＤカード1110のＩＤ1113および、Ｒ／Ｗ記憶領域1112の端末利用履歴情報を読込み識別する。読込み、識別した端末利用履歴情報を基に自己が動作するＰＣ端末1011a以外のＰＣ端末の端末利用履歴情報を抽出する手段の動作フローチャートである。
このような制御動作は、例えばソフトウェアで作成してＰＣ端末1011aに容易に具備させることが出来る。
【００２５】
はじめにステップ3110にて自己が動作するＰＣ端末1011aを一意に特定する為の端末名を読込み、一時記憶領域等に保持する。
次にステップ3111で使用者10が携帯するＩＤカード1110のＩＤ1113をリーダライタ1014を経由して読取る。
次にステップ3112で使用者10が携帯するＩＤカード1110のＲ／Ｗ記憶領域1112からリーダライタ1014を経由して端末利用履歴3010を読取る。
次にステップ3113にてステップ3112で読取った端末利用履歴3010から、ステップ3110で読取った端末名を基に自己が動作するＰＣ端末1011a以外のＰＣ端末の端末利用履歴情報があればこれを抽出する。なければ端末利用履歴の抽出処理を終了する。
【００２６】
次にステップ3114にてステップ3113で抽出した端末利用履歴情報が他の手順で利用できるよう、ＰＣのメモリ上の共通メモリ領域に保持する。以上の手順により、ＩＤカード1110上の端末利用履歴のうち、他のＰＣ端末の利用履歴がＰＣ端末1011aのアプリケーション1012aの他の処理手順で利用可能となる。
【００２７】
図７は端末利用履歴更新手順3022aのフローチャートすなわち、使用者10がＰＣ端末1011aやＰＣ端末1011dを使用する際にＩＤカード1110のＲ／Ｗ記憶領域1112の端末利用履歴情報を読取り識別し、端末利用履歴の更新を行うことを可能とする手段の動作フローチャートである。
はじめにステップ3120にて自己が動作するＰＣ端末1011aを一意に特定する為の端末名を読込み一時記憶領域に保持する。この処理手順は通常は初回の１回のみで良い。
【００２８】
次にステップ3121にてＩＤカード1110が利用状態にあるか確認処理を行う。これはリーダライタ1014を経由してＩＤカード1110のＩＤ1113が読取ることが出来るかどうかで容易に判定させることが出来る。ＩＤカード1110が利用状態にないならば、処理を開始にもどし、ループさせる。
ＩＤカード1110が利用状態にあれば、次にステップ3122でＩＤカード1110のＲ／Ｗ記憶領域1112からリーダライタ1014を経由して端末利用履歴3010から、前回の端末利用時の更新時刻を読取り一時記憶領域に保持する。
【００２９】
次にステップ3123で現在時刻の取得を行いＰＣのメモリ上に保持する。これは例えば、ＰＣ端末1011に内蔵される時計から取得するなどの方法にて容易に可能である。
次にステップ3124で取得した現在時刻とステップ3122で取得した前回の端末利用時の更新時刻との差分をとり、更新単位より以下の場合は書込み不要としてステップ3121のカード存在チェックへ処理を戻しループさせ、更新単位より大きい場合は書込要として、次のステップ3125にて新たに端末利用履歴をＩＤカード1110のＲ／Ｗ記憶領域1112へ書込み、処理をステップ3121の前へ戻しループさせる。
ここで、更新単位は予め設定しておく期間であって、例えば使用者10が変更可能なようにして利便を図る等してもよい。
【００３０】
図８は作業履歴通信手順3023aのフローチャートＰＣ端末1011aより、使用者10が以前に使用したＰＣ端末1011d内の作業履歴から、使用者10の過去の作業履歴抽出し、ＰＣ端末1011上で利用可能とする手段の動作フローチャートである。
まず、はじめにステップ3133にて、ステップ3113で抽出した端末利用履歴の端末名をもとに該当のＰＣ端末であるＰＣ端末1011dへ通信処理を発信する。ＰＣ端末1011d側ではステップ3134に示すように、他のＰＣ端末からの通信処理を待ち受けており、ＰＣ端末1011aからの通信要求を受けると応答を返す。ここで、ステップ3135の応答待ち処理は予め規定した時間の間ステップ3133での要求の応答を待ち、応答がない場合はステップ3136のエラー表示を行う。応答があれば次のステップ3137にてステップ3113で抽出したＩＤ1113と作業履歴を特定するキーである更新時刻3022をＰＣ端末1011dへ送信する。次にステップ3138にてＰＣ端末1011d側では要求のＩＤ1113,更新時刻3022を基に該当する作業履歴を抽出し、要求元のＰＣ端末1011aへ送信する。次にステップ3139にてＰＣ端末1011a側で作業履歴を受信し、ＰＣ端末1011a内の作業履歴へ追加し、保存する。
【００３１】
図１０は作業履歴保存手順3024aのフローチャートすなわち、使用者10がＰＣ端末1011aを使用する際にその作業内容を、予め設定された使用者にとって有用なイベント単位と使用者10を特定するＩＤ1113と作業履歴を特定するキーである更新時刻3022を一レコード単位として作業履歴を追加更新する手段の動作フローチャートである。
まず、はじめにステップ3140にて、作業者10が行う作業内容を取りこむ、次にステップ3141で（使用者10のユーザＩＤである）ＩＤをチェックする、次にステップ3142で更新単位のチェックを行い、次にステップ3143にてイベント判定を行う。次にステップ3144で作業履歴への書込みを行う。
この動作フローにより保存された作業履歴（図３での1013a, 1013d,図１での1013a〜1013d）を参照することで、記録された作業内容にヒモ付く情報を参照可能とする。
【産業上の利用可能性】
【００３２】
本発明は分散型ネットワークシステム上で行う作業行為に適用することが出来る。
【図面の簡単な説明】
【００３３】
【図１】本発明システムの構成図
【図２】使用者がＩＤカードを携帯した状況とＩＤカードの構成図
【図３】本発明システムの構成と各手段の関連図
【図４】端末利用履歴3010のテーブルのデータ構造の一例を示す図
【図５】端末利用履歴情報の抽出手段の動作フローチャート
【図６】カード読込識別手段に関連する要素の構成図
【図７】端末利用履歴の更新手段の動作フローチャート
【図８】作業履歴の抽出と通信手段の動作フローチャート
【図９】作業履歴のテーブルのデータ構造の一例を示す図
【図１０】作業履歴の更新手段の動作フローチャート
【符号の説明】
【００３４】
10…使用者
1110…ＩＤカード
1111…ＩＤメモリ
1112…Ｒ／Ｗ記憶域
1113…ＩＤ
1114…端末利用履歴
2010…通信回線
3010…端末利用履歴テーブル
1011a,1011b,1011c,1011d…ＰＣ端末
1012a,1012b,1012c,1012d…アプリケーション
10…使用者
1110…ＩＤカード
1111…ＩＤメモリ
1112…Ｒ／Ｗ記憶域
1113…ＩＤ
1114…端末利用履歴
3011…端末名
3022…更新時刻
10…使用者
1110…ＩＤカード
1111…ＩＤメモリ
1012a,1012d…アプリケーション
3021a,3021d…カード読込識別手順
3022a,3022d…端末利用履歴更新手順
3023a,3023d…作業履歴通信手順
3024a,3024d…作業履歴保存手順
4010a,4010d…入出力装置１
4020a,4020d…入出力装置２
4030a,4030d…記憶装置
4050a,4050d…通信装置
4060a,4060d…ＯＳ
1114…端末利用履歴
3011…端末名
3012…更新時刻
3110…端末名読取り処理
3111…カードＩＤ読取り処理
3112…端末利用履歴読取り処理
3113…自端末以外の端末での利用履歴があるかの確認処理
3114…自端末以外の端末での利用履歴の抽出処理
3115…作業履歴通信処理への受渡し処理
10…使用者
1110…ＩＤカード
1012a…アプリケーション
3021a…カード読込識別手順
3022a…端末利用履歴更新手順
3023a…作業履歴通信手順
3024a…作業履歴保存手順
4010a…入出力装置１
4020a…入出力装置２
4030a…記憶装置
4050a…通信装置
4060a…ＯＳ
3120…端末名読込み処理
3121…ＩＤカードの存在確認処理
3122…使用者のＩＤカードの端末利用履歴から、前回の更新時刻を取得する処理
3123…ＰＣ端末より現在時刻を取得する処理
3124…前回の更新時刻と現在時刻の差分から、更新時刻を書きこむか書き込まないか確認する処理
3125…使用者のＩＤカードへ端末名とともに更新時刻を書きこむ処理
3133…端末利用履歴の端末名を基に該当のＰＣ端末へ通信要求を発信する処理
3134…他のＰＣ端末からの通信要求を受けて応答を発信する処理
3135…通信要求を発信したＰＣ端末からの応答を待ち受けて規定時間内に応答があるか確認する処理
3136…通信要求を発信したＰＣ端末からの応答を待ち受けて規定時間内に応答がない場合にエラーを表示させる処理
3137…抽出した履歴より、該当の他端末へ該当ＩＤ、該当更新時刻の作業履歴を要求する処理
3138…要求のＩＤ、更新時刻の作業履歴を抽出し応答する処理
3139…受信した結果を作業履歴へ追加保存する処理
3150…ＩＤ
3151…更新時刻
3152…イベント
3153…端末名
3154…パス
3155…ファイル名
3140…操作内容取込み処理
3141…ＩＤチェック処理
3142…更新単位チェック処理
3143…イベントの判定処理
3144…作業履歴の書込み処理
3145…ファイル名
【図１】
2007122308.tif 000003
【図２】
2007122308.tif 000004
【図３】
2007122308.tif 000005
【図４】
2007122308.tif 000006
【図５】
2007122308.tif 000007
【図６】
2007122308.tif 000008
【図７】
2007122308.tif 000009
【図８】
2007122308.tif 000010
【図９】
2007122308.tif 000011
【図１０】
2007122308.tif 000012